(57)【要約】【課題】エレベータの昇降路内に保護線や引っ掛かり防止装置を設けなくても、エレベータのロープやテールコード等の長尺物が引っ掛かるのを防止することが可能なエレベータ用器具ブラケットを提供する。【解決手段】本発明によるエレベータ用器具ブラケット９は、エレベータのかごの昇降を案内するガイドレール８に設けられ、複数の部分に分割され、複数の部分が接合部１３によって接合され、接合部１３で折れ曲がり可能である。【選択図】図４
2014047003.tif 000002
【特許請求の範囲】
【請求項１】
エレベータのかごの昇降を案内するガイドレールに設けられ、
複数の部分に分割され、
前記複数の部分が接合部によって接合され、
前記接合部で折れ曲がり可能であることを特徴とするエレベータ用器具ブラケット。
【請求項２】
前記接合部は、外力が加わると変形し外力が取り除かれると元の形状に戻る部材で構成される請求項１記載のエレベータ用器具ブラケット。
【請求項３】
前記接合部で前記ガイドレールのレールゲージ方向に折れ曲がり可能である請求項１記載のエレベータ用器具ブラケット。
【請求項４】
前記接合部は、スプリングバック式のヒンジで構成される請求項２記載のエレベータ用器具ブラケット。
【請求項５】
前記接合部は、形状記憶材で構成される請求項２記載のエレベータ用器具ブラケット。
【請求項６】
前記かごの位置を検出するために前記かごに設けられた位置検出装置に用いられる遮蔽板が固定され、
前記遮蔽板は、形状記憶材で構成される請求項１記載のエレベータ用器具ブラケット。
【発明の詳細な説明】
【技術分野】
【０００１】
本発明は、エレベータの昇降路内の器具を固定するブラケットに関する。
【背景技術】
【０００２】
エレベータは、昇降するかごとつり合いおもりを備える。かごとつり合いおもりは、巻上機により駆動するロープで連結されている。ロープの駆動により、かご及びつり合いおもりは、それぞれかご用及びつり合いおもり用の一対のガイドレールに沿って昇降路内を昇降する。ガイドレールには、エレベータの昇降路内の器具を固定するために、細長い板状の器具ブラケットが設置されている。例えば、エレベータの昇降路内では、かごの位置を検出する位置検出装置（光電センサや磁気センサ）用の遮蔽板が、器具ブラケットを介してガイドレールに固定されている。
【０００３】
地震や強風によりエレベータの昇降中にエレベータ建屋が揺れると、エレベータのロープやテールコード等の長尺物が大きく振れることがある。これらの長尺物が揺れてガイドレールに設置された器具ブラケットや器具ブラケットに固定された遮蔽板等の器具に引っ掛かると、器具ブラケットや器具が破損する原因となる。
【０００４】
特許文献１には、昇降路内の部材に対する調速機ロープの引っ掛かりを防止するためのケーブル引っ掛かり防止装置が開示されている。このケーブル引っ掛かり防止装置は、調速機ロープの揺れを規制する帯板状の規制部材と、規制部材に摺動可能に設けられ、規制部材に対する摺動により昇降路の内壁面に接離可能なスライド体と、昇降路の内壁面に接触する方向へスライド体を付勢する付勢ばねとを有する。
【先行技術文献】
【特許文献】
【０００５】
【特許文献１】特開２００９−１３７７１１号公報
【発明の概要】
【発明が解決しようとする課題】
【０００６】
従来は、板状の器具ブラケットの一端とエレベータの昇降路の内壁との間またはエレベータの昇降路内の上下方向の位置に設置された複数の器具ブラケットの間に、保護線または引っ掛かり防止装置を設けることにより、器具ブラケットや器具ブラケットに固定された器具に長尺物が引っ掛かるのを防止している。また、特許文献１に開示されている発明では、ケーブル引っ掛かり防止装置を一方のかごガイドレールに取り付ける。このため、従来の技術では、エレベータの昇降路内に保護線または引っ掛かり防止装置を敷設する作業が発生している。特に長行程のエレベータでは、昇降路の全高に渡って保護線または引っ掛かり防止装置を敷設するので、この敷設作業に多大な時間を必要とする。
【０００７】
本発明は、このような従来技術に対し、エレベータの昇降路内に保護線や引っ掛かり防止装置を設けなくても、エレベータのロープやテールコード等の長尺物が引っ掛かるのを防止することが可能なエレベータ用器具ブラケットを提供することを目的とする。
【課題を解決するための手段】
【０００８】
本発明によるエレベータ用器具ブラケットは、以下のような特徴を備える。エレベータのかごの昇降を案内するガイドレールに設けられ、複数の部分に分割され、前記複数の部分が接合部によって接合され、前記接合部で折れ曲がり可能であることを特徴とする。
【発明の効果】
【０００９】
本発明によるエレベータ用器具ブラケットでは、エレベータの昇降路内に保護線や引っ掛かり防止装置を設けなくても、エレベータのロープやテールコード等の長尺物が引っ掛かるのを防止することが可能である。
【図面の簡単な説明】
【００１０】
【図１】エレベータのシステムを示す概略図。
【図２】図１に示したエレベータのシステムの平面図。
【図３】従来の器具ブラケットの構造を示す概略図。
【図４】本実施例による器具ブラケットの構造を示す概略図。
【図５】本実施例による器具ブラケットの別の構造を示す概略図。
【図６】遮蔽板が樹脂系の形状記憶材で構成されている、本実施例による器具ブラケットの概略図。
【発明を実施するための形態】
【００１１】
本発明によるエレベータ用器具ブラケットは、複数の部分に分割され、それぞれの部分は接合部によって接合される。接合部は、外力が加わると変形し外力が取り除かれると元の形状に戻る部材、例えばスプリングバック式ヒンジまたは形状記憶材料で構成されるのが望ましい。このような構成により、本発明による器具ブラケットは、レールゲージ方向（一対のガイドレールを結ぶ方向）に折れ曲がり可能であり、折れ曲がった後に元の形状に復帰できる。従って、エレベータのロープやテールコード等の長尺物が器具ブラケットや器具ブラケットに固定された遮蔽板等の器具に衝突した場合でも、器具ブラケットは、折れ曲がるので長尺物が引っ掛かるのを防止することができる。また、器具ブラケットは、折れ曲がった後に元の形状に復帰できるので、損傷を負うこともない。このため、本発明による器具ブラケットでは、器具ブラケットや器具が破損して故障するのを防ぐことができる。更に、エレベータの昇降路内に保護線や引っ掛かり防止装置を敷設する作業を大幅に減らすことができるので、据付作業や保守作業の効率を向上させることも可能である。
【００１２】
以下、本発明によるエレベータ用器具ブラケットの実施例を、図面を用いて説明する。
【００１３】
初めに、図１と図２を用いてエレベータのシステムについて説明する。図１はエレベータのシステムを示す概略図であり、図２は図１に示したエレベータのシステムの平面図である。器具ブラケットとガイドレールは、図２に示している。
【００１４】
エレベータは、昇降路１内を昇降するかご３とつり合いおもり４を備える。かご３とつり合いおもり４は、ロープ５により連結されている。ロープ５は、かご３の上部にある機械室に設置された巻上機２により駆動する。ロープ５の駆動により、かご３とつり合いおもり４は、それぞれかご用とつり合いおもり用のガイドレール８に沿って昇降路１内を昇降する。一対のかご用のガイドレール８と一対のつり合いおもり用のガイドレール８は、それぞれかご３とつり合いおもり４の昇降を案内する。かご用のガイドレール８には、器具ブラケット９が設けられている。器具ブラケット９は、昇降路１内の器具を固定するための細長い板状の部材である。なお、図２では、器具ブラケット９を一対のかご用のガイドレール８の一方に設けた例を示している。器具ブラケット９は、一対のかご用のガイドレール８の両方に設けてもよい。
【００１５】
かご３の下部と機械室とは、テールコード６で連結されている。テールコード６は、かご３が電源を取るための電線であり、かご３とともに昇降路１内を昇降する。更に、かご３の下部とつり合いおもり４の下部とは、コンペンセーション７で連結されている。コンペンセーション７は、かご３とつり合いおもり４の重さのバランスを取るためのものであり、チェーン、ケーブルまたはロープで構成される。コンペンセーション７は、かご３とつり合いおもり４とともに昇降路１内を昇降する。
【００１６】
かご３の位置を検出するために、かご３には位置検出装置１１が設けられ、器具ブラケット９には遮蔽板１０が固定される。位置検出装置１１は、光電センサや磁気センサであり、遮蔽板１０による光の遮蔽や磁場の変化を基にかご３の位置を検出する。遮蔽板１０は、器具ブラケット９を介してかご用のガイドレール８に固定されている。器具ブラケット９には、遮蔽板１０以外の器具を固定することもできる。
【００１７】
地震または強風によりかご３の昇降中にエレベータ建屋が揺れると、ロープ５、テールコード６及びコンペンセーション７等の長尺物が大きく振れる。特に、エレベータ建屋とエレベータの共振が発生すると、これらの長尺物の振れの増幅が顕著となる。これらの長尺物が大きく振れて器具ブラケット９や器具ブラケット９に固定された器具（例えば、遮蔽板１０）に引っ掛かると、器具ブラケット９や器具が破損する原因となる。
【００１８】
図３は、従来の器具ブラケット１９の構造を示す概略図である。図３では、昇降路１内にて器具ブラケット１９を真上から見ている。従来の器具ブラケット１９は、分割されていない１つの部材から成り、かご用のガイドレール８に設けられ、遮蔽板１０が固定されている。なお、図３では、２つの遮蔽板１０が器具ブラケット１９に固定されている場合を示している。
【００１９】
更に、器具ブラケット１９の一端とエレベータの昇降路１の内壁との間には、引っ掛かり防止装置１２が設けられている。引っ掛かり防止装置１２は、例えばスチールワイヤであり、ロープ５等の長尺物が器具ブラケット１９とエレベータの昇降路１の内壁との間に入るのを防ぐ。従来の技術では、引っ掛かり防止装置１２（または保護線）により、器具ブラケット９や器具ブラケット９に固定された器具（例えば、遮蔽板１０）にロープ５等の長尺物が引っ掛かるのを防止している。
【００２０】
図４は、本実施例による器具ブラケット９の構造を示す概略図である。図４では、図３と同様に、昇降路１内にて器具ブラケット９を真上から見ている。器具ブラケット９がかご用のガイドレール８に設けられ、遮蔽板１０が固定されている点は、従来の器具ブラケット１９と同様である。なお、図４では、２つの遮蔽板１０が器具ブラケット９に固定されている場合を示している。
【００２１】
本実施例による器具ブラケット９は、長さ方向に２つの部分に分割され、これらの部分は接合部１３によって接合される。接合部１３には、外力が加わると変形し、外力が取り除かれると元の形状に戻る部材を用いる。器具ブラケット９の２つの部分のうち、１つの部分（図４の左側の部分）はガイドレール８に固定されて不動であるが、もう１つの部分（図４の右側の部分）は、接合部１３により、図４の矢印の方向、すなわちガイドレール８のレールゲージ方向（一対のガイドレール８を結ぶ方向。図２も参照）に動くことができる。
【００２２】
接合部１３は、例えば、スプリングバック式ヒンジ１３ａで構成することができる。スプリングバック式ヒンジ１３ａは、外力が加わると開き角が変化して変形するが、外力が取り除かれると元の開き角に戻るヒンジである。器具ブラケット９の２つの部分をスプリングバック式ヒンジ１３ａで接合することにより、器具ブラケット９は、外力が加わるとレールゲージ方向に折れ曲がり、外力が取り除かれると元の形状に戻ることができる。
【００２３】
図５は、本実施例による器具ブラケット９の別の構造を示す概略図である。図５において図４と同一の符号は、図４と同一のまたは対応する構成要素を示し、これらの構成要素については説明を省略する。
【００２４】
図５に示すように、接合部１３は、形状記憶材１３ｂで構成することができる。形状記憶材１３ｂとしては、外力が加わると変形し外力が取り除かれると元の形状に戻る材料（弾性変形する材料）を用いることができ、例えば、超弾性合金またはゴムやバネ等の弾性体を用いることができる。接合部１３を形状記憶材１３ｂで構成しても、器具ブラケット９のうちの１つの部分（図５の右側の部分）は、接合部１３により、図５の矢印の方向、すなわちガイドレール８のレールゲージ方向に動くことができる。従って、器具ブラケット９の２つの部分を形状記憶材１３ｂで接合することにより、器具ブラケット９は、外力が加わるとレールゲージ方向に折れ曲がり、外力が取り除かれると元の形状に戻ることができる。
【００２５】
このような構成により、器具ブラケット９は、接合部１３でレールゲージ方向に折れ曲がり可能であり、折れ曲がった後に元の形状に復帰できる。従って、ロープ５、テールコード６及びコンペンセーション７等の長尺物が器具ブラケット９や器具ブラケット９に固定された遮蔽板１０等の器具に衝突した場合でも、器具ブラケット９は接合部１３で折れ曲がるので、これらの長尺物が引っ掛かるのを防止することができる。
【００２６】
図４と図５では、器具ブラケット９が長さ方向に２つの部分に分割されている例を示した。器具ブラケット９は、長さ方向に３つ以上の部分に分割されてもよい。分割されたそれぞれの部分は、接合部１３によって接合される。また、器具ブラケット９を分割する位置、すなわち、器具ブラケット９における接合部１３の位置は、任意に定めることができる。ただし、ガイドレール８に固定されている部分では分割しないものとする。また、接合部１３においてスプリングバック式ヒンジ１３ａ及び形状記憶材１３ｂを器具ブラケット９のどちらの面に設けるか（図４と図５において、器具ブラケット９の上面と下面のどちらに設けるか）、すなわちスプリングバック式ヒンジ１３ａ及び形状記憶材１３ｂを器具ブラケット９のかご３に対向する面に設けるか昇降路１の内壁に対向する面に設けるか（図２を参照）は、任意に定めることができる。図４と図５に示した例では、スプリングバック式ヒンジ１３ａ及び形状記憶材１３ｂは、器具ブラケット９の昇降路１の内壁に対向する面（図４と図５において器具ブラケット９の下面）に設けている。
【００２７】
本実施例による器具ブラケット９は、複数の部分に分割され、これらの部分が接合部１３にて接合しているので、レールゲージ方向に折れ曲がり可能な可動式となっている。このため、器具ブラケット９は、ロープ５等の長尺物が衝突した場合でも、衝突に合わせて接合部１３で折れ曲がった後、元の形状に戻ることができる。従って、引っ掛かり防止装置１２または保護線を敷設せずに、器具ブラケット９に長尺物が引っ掛かるのを防止することができる。
【００２８】
図６は、本実施例による器具ブラケット９の別の構造を示す概略図であり、遮蔽板２０が樹脂系の形状記憶材で構成されている器具ブラケット９を示している。図６において図４と同一の符号は、図４と同一のまたは対応する構成要素を示し、これらの構成要素については説明を省略する。
【００２９】
従来は、器具ブラケットに設けられている遮蔽板は金属製であり、ロープ５等の長尺物が衝突すると、遮蔽板は塑性変形したり破損したりすることがあった。現在では、かご３に設けられている位置検出装置１１に光電センサを用いるのが主流であり、器具ブラケット９に設けられている遮蔽板２０によって磁気を遮蔽する必要がない。このことから、遮蔽板２０を、塑性変形する金属ではなく、樹脂系の形状記憶材（弾性変形する樹脂）で構成することができる。遮蔽板２０を樹脂系の形状記憶材で構成すると、ロープ５等の長尺物が衝突した場合でも、遮蔽板２０は、衝突に合わせて変形した後、元の形状に戻ることができる。このようにしても、遮蔽板２０の塑性変形や破損を防止することができる。
【００３０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００３１】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル、測定情報、算出情報等の情報は、メモリや、ハードディスク、ＳＳＤ（Solid State Drive）等の記録装置、または、ＩＣカード、ＳＤカード、ＤＶＤ等の記録媒体に置くことができる。
【００３２】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００３３】
１…昇降路、２…巻上機、３…かご、４…つり合いおもり、５…ロープ、６…テールコード、７…コンペンセーション、８…ガイドレール、９…器具ブラケット、１０、２０…遮蔽板、１１…位置検出装置、１２…引っ掛かり防止装置、１３…接合部、１３ａ…スプリングバック式ヒンジ、１３ｂ…形状記憶材、１９…従来の器具ブラケット。
【図１】
2014047003.tif 000003
【図２】
2014047003.tif 000004
【図３】
2014047003.tif 000005
【図４】
2014047003.tif 000006
【図５】
2014047003.tif 000007
【図６】
2014047003.tif 000008